(57)【特許請求の範囲】
【請求項１】
前面に開口する陳列室を有し、この陳列室内に商品を収納陳列して成るショーケースにおいて、
前記陳列室内底部に構成され、商品を載置陳列する下陳列部と、前記陳列室内上部に取り付けられ、上下に延在する蛇行状の商品通路が内部に構成された商品ラックと、この商品ラックの上部に形成された前記商品通路の商品充填口と、前記商品ラックの下部に形成された前記商品通路の商品取出口と、前記商品充填口前側となる前面開口を開閉可能に閉塞する扉とを備え、
この扉の内方と前記商品ラックの商品との間及び前記商品取出口の商品に沿って降下するように冷気を吐出することにより、前記陳列室の前面開口にエアーカーテンを形成したことを特徴とするショーケース。
【請求項２】
設置面から前面開口下縁までの高さを６００ｍｍ乃至１０００ｍｍとすると共に、設置面から商品ラック下端までの高さを８００ｍｍ乃至１２００ｍｍとし、且つ、前記前面開口下縁から前記商品ラック下縁までの開口寸法を１５０ｍｍ乃至４００ｍｍとしたことを特徴とする請求項１のショーケース。
【請求項３】
設置面から商品ラック上端までの高さを１４００ｍｍ乃至１９００ｍｍとしたことを特徴とする請求項１又は請求項２のショーケース。
【請求項４】
前記扉は、透視可能であることを特徴とする請求項１、請求項２又は請求項３のショーケース。
【発明の詳細な説明】
【０００１】
【発明の属する技術分野】
本発明は、前面に開口する陳列室を有し、この陳列室内に商品を収納陳列して成るショーケースに関するものである。
【０００２】
【従来の技術】
この種の従来のショーケースは、例えば特開平１１−６３７７０号公報に示される。すなわち、この種のショーケースは、断面略コ字状の断熱壁と、据え付け現場においてこの断熱壁の両側に取り付けられる側板とから構成されている。断熱壁の内側には、それぞれ間隔を存して外層仕切板と内層仕切板が取り付けられており、断熱壁と外層仕切板間が外層ダクト、内外層仕切板間が内層ダクトとされ、内層仕切板の内側が貯蔵室とされている。そして、この貯蔵室内には複数段の棚が架設されており、係る棚上に商品が陳列されていた。
【０００３】
【発明が解決しようとする課題】
しかしながら、従来のショーケースでは、上段への商品陳列作業は、大変なものであり、特に比較的背の低い店員等が上段の奥へ商品を陳列することは、困難なものであった。また、顧客等が商品を取り出す際にも、上段に比較的重量の嵩むジュースなどの飲料が陳列されていると、取り出すことが困難となる。特に子供や比較的背の低い顧客は、取り出すことが著しく困難となるため、購買意欲が減退される問題もある。
【０００４】
本発明は、商品の陳列作業を向上させると共に、陳列された商品の取り出しを容易とすることができるショーケースを提供するものである。
【０００５】
【課題を解決するための手段】
本発明のショーケースは、前面に開口する陳列室を有し、この陳列室内に商品を収納陳列して成るものであって、陳列室内底部に構成され、商品を載置陳列する下陳列部と、陳列室内上部に取り付けられ、上下に延在する蛇行状の商品通路が内部に構成された商品ラックと、この商品ラックの上部に形成された商品通路の商品充填口と、商品ラックの下部に形成された商品通路の商品取出口と、商品充填口前側となる前面開口を開閉可能に閉塞する扉とを備え、この扉の内方と商品ラックの商品との間及び商品取出口の商品に沿って降下するように冷気を吐出することにより、陳列室の前面開口にエアーカーテンを形成したことを特徴とする。
【０００６】
本発明によれば、前面に開口する陳列室を有し、この陳列室内に商品を収納陳列して成るショーケースにおいて、陳列室内底部に商品を載置陳列する下陳列部を構成し、陳列室内上部には上下に延在する蛇行状の商品通路が内部に構成された商品ラックを取り付け、この商品ラックの上部に商品通路の商品充填口を形成し、下部には商品通路の商品取出口をそれぞれ形成したので、陳列室内の下陳列部には例えば比較的大型の商品を載置陳列しながら、比較的小型の商品は、陳列室内上部の商品ラック内に収納することができるようになる。
【０００７】
特に、本発明によれば商品ラック上部の商品充填口から商品を順次収納して行くことにより、商品ラック内の商品通路を降下しながら商品は充填されるので、商品の陳列作業は著しく改善される。また、充填された最下部の商品は商品取出口にて取出自在に陳列されることになるので、商品は支障無く陳列され、また、取出も容易となる。更に、商品ラックの商品充填口前側となる前面開口を扉にて開閉可能に閉塞したので、顧客が商品充填口から商品を取り出してしまう不都合も回避することが可能となる。そして、この扉の内方と商品ラックの商品との間及び商品取出口の商品に沿って降下するように冷気を吐出することにより、陳列室の前面開口にエアーカーテンを形成しているので、商品ラック内の商品を冷却しながら陳列室の前面開口に冷気のエアーカーテンを形成し、外気侵入の抑制と下陳列室の冷却を支障なく達成することができるようになるものである。
【０００８】
請求項２の発明のショーケースは、上記発明に加えて、設置面から前面開口下縁までの高さを６００ｍｍ乃至１０００ｍｍとすると共に、設置面から商品ラック下端までの高さを８００ｍｍ乃至１２００ｍｍとし、且つ、前面開口下縁から商品ラック下縁までの開口寸法を１５０ｍｍ乃至４００ｍｍとしたことを特徴とする。
【０００９】
請求項２の発明によれば、上記に加えて設置面から前面開口下縁までの高さを６００ｍｍ乃至１０００ｍｍとすると共に、設置面から商品ラック下端までの高さを８００ｍｍ乃至１２００ｍｍとし、且つ、前面開口下縁から商品ラック下縁までの開口寸法を１５０ｍｍ乃至４００ｍｍとしたので、商品ラックの商品取出口は顧客の略腹部から胸部に渡る高さとなり、商品ラック内の商品の陳列性並びに取り出し易さが良好となる。また、前面開口下縁と商品ラック間にも十分なる開口が形成されるので、下陳列部からの商品の取り出しも支障無く行えるようになるものである。
【００１０】
請求項３の発明のショーケースは、上記各発明に加えて、設置面から商品ラック上端までの高さを１４００ｍｍ乃至１９００ｍｍとしたことを特徴とする。
【００１１】
請求項３の発明によれば、上記各発明に加えて設置面から商品ラック上端までの高さを１４００ｍｍ乃至１９００ｍｍとしたので、商品ラックの商品充填口の高さは作業者の略首から頭上手の届く範囲となり、商品ラックへの商品収納作業も容易となるものである。
【００１２】
請求項４の発明のショーケースは、上記各発明に加えて、扉は透視可能であることを特徴とする。
【００１３】
請求項４の発明によれば、上記に加えて扉を透視可能としたので、商品充填口に位置する商品によって陳列効果を発揮させることができるようになるものである。
【００１４】
【発明の実施の形態】
以下、図面に基づき本発明の実施形態を詳述する。図１は本発明のショーケース１の正面図、図２はショーケース１の縦断側面図である。本発明のショーケース１は、例えばスーパーマーケットなどの店舗内に据え付けられる冷蔵タイプの縦型オープンショーケースであり、本体を構成する断面略コ字状の断熱壁２と、この断熱壁２の両側に取り付けられる側板３、３とから構成されている。なお、本実施例の側板３は、前部が、上部から下部にかけて湾曲して徐々に広く形成されている。断熱壁２の内側には間隔を存して仕切板４が取り付けられており、断熱壁２と仕切板４間には、ダクト５が形成されており、仕切板４の内側には、陳列室９が構成されている。また、断熱壁２の外側には、間隔を存して外側仕切板６が取り付けられており、断熱壁２と外側仕切板６間には、廃熱ダクト７が形成されている。
【００１５】
陳列室９の上部には、詳細は後述する商品ラック１０が複数架設される。そして、陳列室９の底部には図示しないローラーを備え、少許前方に傾斜したデックパン１２が取り付けられており、このデックパン１２の上面は、商品を載置陳列する下陳列部２６が形成されている。
【００１６】
前記断熱壁２の下端前面には、上方に向けてデックパン１２の位置まで垂直に起立した前面部２Ａが形成されており、係る前面部２Ａの上端から下陳列部２６を構成する位置まで、例えばガラス部材により構成される前面部材２８が設けられている。尚、係る前面部材２８においても前記側板３の湾曲形状と合致させるため、上部から下部にかけて徐々に湾曲形状とされている。
【００１７】
この前面部材２８の下端は、断熱壁２の下部前面に取り付けられるフロントパネル４１によって固定されている。このフロントパネル４１は断面略コ字状に形成された硬質樹脂製のパネルであり、内側上部には、前面部材２８を支持するための支持部４２が形成されている。この支持部４２には、図示しない開口が複数形成されている。フロントパネル４１によって前面部材２８を固定した状態で、フロントパネル４１と前面部材２８との間には、少許隙間が形成されている。
【００１８】
また、前面部材２８の内方には所定の間隔を存してデックパン１２の前端から上方に向けて起立するアクリル板２９が設けられている。係るアクリル板２９は、長手方向に形成された押さえ具３０により固定されている。
【００１９】
そして、前面開口部２７の上縁には第１の吐出口２１が形成されており、この第１の吐出口２１は、前記ダクト５と連通している。図３において４６は、ダクト５内の冷気の向きを調節するための風向板である。また、前記前面部材２８とアクリル板２９の間に存する押さえ具３０には、パンチングより複数の孔により吸込口２２が形成され、前記底部ダクト１３と連通している。また、前記仕切板４の背面には前面部材２８の上端の高さより少許低い位置に第２の吐出口２３が形成されており、この第２の吐出口２３には、陳列室９側に突出して形成された可動式のフィン２４が設けられている。この第２の吐出口２３は第１の吐出口２１から吐出される冷気吐出量に比して少ない吐出量とされるように調整される。
【００２０】
そして、デックパン１２の下方は、前記ダクト５に連通した底部ダクト１３とされている。この底部ダクト１３内には送風機１４が設置されると共に、冷却器１６が配設されている。
【００２１】
また、断熱壁２の下部には、機械室１７が構成されており、この機械室１７内は、前記廃熱ダクト７と連通している。機械室１７内には、前記冷却器１６と共に環状の冷凍サイクルを構成する前記圧縮機４５、凝縮器１８等が配設されている。また、機械室１８の前面には、開閉自在に取り付けられたフロントパネル１９が設けられており、このフロントパネル１９の前面には、吸気口２０が複数形成されている。
【００２２】
一方、陳列室９上部の前面開口部２７には、例えば左側に枢設された扉８が開閉自在に設けられている。扉８は前面が透視可能なガラス部材１１を備えており、陳列室９の開口部２１の上縁及び上部両側縁に設けられた扉受け１５に閉塞されている。この扉８を開放する際には、扉受け１５が設けられていない扉８の下端に手指をかけ扉８を前方に引くことにより開放される。
【００２３】
他方、前記断熱壁２の上部前端に位置する前記外側仕切板６には、外側吐出口２５が形成されており、この外側吐出口２５は、前記排熱ダクト７と連通している。また、前記外側仕切板６の上面後部には図示しない開口が形成されている。
【００２４】
そして、前記冷凍サイクルが運転されると、機械室１７内において圧縮機４５及び凝縮器１８によって加熱された空気は、排熱ダクト７を通過して、大半は外側仕切板６の上面後部に形成された開口より排気され、一部は、外側吐出口２５より扉８の外側に吐出される。これによって、扉８は加熱され、未然に結露の発生を防止することができる。
【００２５】
次に、図３及び図４を参照して前記商品ラック１０を説明する。図３はショーケース１の上部拡大縦断面図、図４はショーケース１の扉８を省略した上部正面図である。尚、図４では右方の商品ラック１０のみ図示されており、中央及び左方の商品ラック１０は省略している。商品ラック１０は、熱伝導性材料により構成された鋼板性材料を上下方向に多数の商品コラム３１が積み重なるように配置されており、商品コラム３１はコラム群３１Ａから３１Ｃとして区割りし、コラム群３１Ａには同一商品Ａ１が収納され、コラム群３１Ｂには、同一商品Ａ２が収納されている。
【００２６】
そして、商品ラック１０の商品コラム３１は、図３に示すように、蛇行状の商品通路３２が形成されており、各商品コラム３１は、上下に一列収納可能となっている。更に、商品コラム３１の上端部には、商品充填口３３が形成されていると共に、下端部には、商品取出口３４が形成されている。
【００２７】
商品充填口３３には、商品コラム３１の最上端の商品を転動不能とするための棒状の一対の商品保持具３５が設けられており、商品保持具３５に載置される商品は、扉８の透明なガラス部材１１越しに販売時において、各商品ラック１０に充填された商品が見えるようになっている。尚、商品保持具３５に載置された商品は、商品充填時に前方から後方に押すことにより、商品コラム１０の商品取出口３４から取出可能とされる。
【００２８】
商品取出口３４には、商品押さえ具３６が設けられている。この商品押さえ具３６は、水平部３６Ａと、押さえ部３６Ｂにより構成されており、上方から充填落下された商品を押さえ部３６Ｂにより商品ラック１０から落下することを防止している。また、水平部３６Ａは、商品が商品コラム３１に充填された状態で、上方に充填された商品の重力によって、商品が落下することを緩和している。更に、押さえ部３６Ｂには、切り欠き３６Ｃが形成されており、商品を取り出しやすくしている。
【００２９】
また、比較的後方の商品コラム３１の商品通路３２と商品押さえ具３６の間には、商品保持傾斜板３７が形成されており、商品ラック１０が下方にかけて少許前方に突出するように形成されている。このとき、最下段に位置する商品取出口３４は、前記扉８の前面よりも前方となると共に、前記前面部材２８よりも後方に位置するように形成される。
【００３０】
以上の構成より、比較的小型の商品は、陳列室９内上部の商品ラック１０内に収納することができる。また、商品ラック１０上部の商品充填口３３から商品を順次収納して行くことにより、商品ラック１０内の商品通路３２を降下しながら商品は充填されるので、商品の陳列作業は著しく改善される。また、充填された最下部の商品は商品取出口３４にて取出自在に陳列されることになるので、商品は支障無く陳列され、また、取出も容易となるものである。
【００３１】
また、前記送風機１４が運転されると、底部ダクト１３内の空気は、後方のダクト５に向けて吹き出され、冷却器１６と熱交換した後吹き上げられ、冷気の一部は、仕切板４の背面に形成された第２の吐出口２３からわずかな冷気が吐出される。そして、残りの冷気は、開口部２７上縁の第１の吐出口２１から吐出され、係る冷気は扉８の内側、すなわち、扉８の内方と商品ラック１０の商品保持具３５にディスプレイ用として保持された商品との間及び商品取出口３４に載置される商品に沿って冷気が降下し、開口部２７下縁に形成された吸込口２２より底部ダクト１３に帰還し、送風機１４に再び吸い込まれる。
【００３２】
これによって、陳列室９の開口部２７には冷気エアーカーテンが形成され、開口部２７からの外気の侵入が阻止若しくは抑制される。そして、冷気エアーカーテンの一部が陳列室９内の上部に侵入して陳列室９上部、すなわち商品ラック１０の商品を冷却すると共に、仕切板４に形成された第２の吐出口２３から吐出される冷気によって下陳列部２６は冷却される。
【００３３】
このとき、開口部２７下縁に形成される吸込口付近の前面部材２８は、前記冷気エアーカーテンによって冷却され、結露が発生するが、係る結露は前面部材２８の表面を落下した後前記フロントパネル４１との間に形成された隙間及び支持部４２に形成された開口を介して底部ダクト１３内に流入し、底部ダクト１３内に形成されたドレンパン４３及びドレンパイプ４４を介して外部に排水される。
【００３４】
一方、図４において３８は、陳列室９の上面を構成する前記ダクト５内の商品ラック１０の両端に相当する位置に前後にわたって設けられた取付金具であり、断面略コ字状の両端に外方に向けてフランジが形成されており、係るフランジを断熱壁２の上壁下面に取り付けていると共に、取付金具３８の下面は、仕切板４に固定されている。また、この取付金具３８の下面には、上記商品ラック１０を吊下するための吊下レール３９が設けられている。
【００３５】
これにより、商品ラック１０は、メンテナンス等の作業を行う場合には扉８を開放した状態で、商品ラック１０を吊下レール３９に摺動させることにより手前に移動させ、メンテナンスを行うことができる。
【００３６】
また、取付金具３８は、ダクト５内において断面略コ字状に形成されていると共に、ダクト５内で前後に渡って形成されているため、ダクト５内を流通する冷気を整流することができ、均等に陳列室９内を冷却することができるようになる。また、商品ラック１０は、熱伝導性材料により構成されているため、均等に流通される冷気によって、商品ラック１０自体が冷却され、商品ラック１０に充填された商品の冷却効率も向上される。
【００３７】
更に、前記扉８の下端に相当する位置の商品ラック１０の前面には、左右にわたってラック固定具４０が取り外し可能に設けられている。これによって、商品ラック１０は、前方に突出しないように固定される。
【００３８】
ここで、ショーケース１の機械室１７の下方、すなわち設置面から前面開口部２７の前面部材２８の上端までの高さ寸法Ｌ１は６００ｍｍ〜１０００ｍｍ（実施例では８００ｍｍ）に設定され、商品ラック１０の下端までの高さ寸法Ｌ２は８００ｍｍ以上１２００ｍｍ以下の範囲（実施例では１０００ｍｍ）に設定されている。
【００３９】
これにより、商品ラック１０の商品取出口３４は顧客の略腹部から胸部に渡る高さとなり、商品ラック１０内の商品の陳列性並びに取り出し易さが良好となる。
【００４０】
また、前面開口部２７の前面部材２８の上端から商品ラック１０の下端までの高さ寸法Ｌ３は１５０ｍｍ以上４００ｍｍ以下の範囲（実施例では２１０ｍｍ）に設定されている。そのため、図５に示す如く前面部材２８の上端から商品ラック１０の下端によって形成される下陳列部２６の開口部は、１５０ｍｍ以上４００ｍｍの範囲（実施例では２１０ｍｍ）確保されていると共に、上述の如く前面部材２８の上端位置から商品ラック１０の下端までの奥行き寸法Ｌ４は１００ｍｍ以上２００ｍｍ以下の範囲に設定されている。
【００４１】
これにより、例えば２．０Ｌのペットボトルを陳列した場合に、容易に上記開口より取り出すことができるようになる。また、下陳列部２６の底面を構成するデックパン１２は、少許傾斜して形成されていると共に図示しないローラーを備えているため、奥方に載置された商品であっても、前方の商品が取り出されることにより、前方に移動され容易に取り出すことができるようになる。また、前面開口部２７下縁と商品ラック１０間にも十分なる開口が形成されるので、下陳列部２６からの商品の取り出しも支障無く行えるようになるものである。
【００４２】
更に、設置面から商品ラック１０の上端までの高さ寸法Ｌ５は１４００ｍｍ〜１９００ｍｍに設定されている。これにより、商品ラック１０の商品充填口３３の高さは作業者の略首から頭上手の届く範囲となり、商品ラック１０への商品収納作業も容易となる。
【００４３】
尚、本実施例では陳列室９内の扉８の後方には、商品ラック１０を備え、係る商品ラック１０内に商品の収納・陳列を行っているが、商品ラック１０の替わりに棚部材を設けても良い。
【００４４】
また、前記第２の吐出口２３の吐出量を調節することによって、扉８の後方に相当する位置の陳列室９内は低温帯、下陳列部２６内は高温帯、その他の扉８の後方に相当しない位置の陳列室９内は、中温帯とすることができる。そのため、それぞれの温度帯が適温とされる商品、例えば低温帯には、ヨーグルトなどを、中温帯には小型のジュース類を、高温度帯には、２．０Ｌなどのペットボトルを載置して陳列することができる。また、逆に第２の吐出口２３の吐出量を多くすることによって、下陳列部２６を低温帯、陳列室９上部を高温帯とすることもできる。
【００４５】
【発明の効果】
以上詳述した如く本発明によれば、前面に開口する陳列室を有し、この陳列室内に商品を収納陳列して成るショーケースにおいて、陳列室内底部に商品を載置陳列する下陳列部を構成し、陳列室内上部には上下に延在する蛇行状の商品通路が内部に構成された商品ラックを取り付け、この商品ラックの上部に商品通路の商品充填口を形成し、下部には商品通路の商品取出口をそれぞれ形成したので、陳列室内の下陳列部には例えば比較的大型の商品を載置陳列しながら、比較的小型の商品は、陳列室内上部の商品ラック内に収納することができるようになる。
【００４６】
特に、本発明によれば商品ラック上部の商品充填口から商品を順次収納して行くことにより、商品ラック内の商品通路を降下しながら商品は充填されるので、商品の陳列作業は著しく改善される。また、充填された最下部の商品は商品取出口にて取出自在に陳列されることになるので、商品は支障無く陳列され、また、取出も容易となる。更に、商品ラックの商品充填口前側となる前面開口を扉にて開閉可能に閉塞したので、顧客が商品充填口から商品を取り出してしまう不都合も回避することが可能となる。そして、この扉の内方と商品ラックの商品との間及び商品取出口の商品に沿って降下するように冷気を吐出することにより、陳列室の前面開口にエアーカーテンを形成しているので、商品ラック内の商品を冷却しながら陳列室の前面開口に冷気のエアーカーテンを形成し、外気侵入の抑制と下陳列室の冷却を支障なく達成することができるようになるものである。
【００４７】
請求項２の発明によれば、上記に加えて設置面から前面開口下縁までの高さを６００ｍｍ乃至１０００ｍｍとすると共に、設置面から商品ラック下端までの高さを８００ｍｍ乃至１２００ｍｍとし、且つ、前面開口下縁から商品ラック下縁までの開口寸法を１５０ｍｍ乃至４００ｍｍとしたので、商品ラックの商品取出口は顧客の略腹部から胸部に渡る高さとなり、商品ラック内の商品の陳列性並びに取り出し易さが良好となる。また、前面開口下縁と商品ラック間にも十分なる開口が形成されるので、下陳列部からの商品の取り出しも支障無く行えるようになるものである。
【００４８】
請求項３の発明によれば、上記各発明に加えて設置面から商品ラック上端までの高さを１４００ｍｍ乃至１９００ｍｍとしたので、商品ラックの商品充填口の高さは作業者の略首から頭上手の届く範囲となり、商品ラックへの商品収納作業も容易となるものである。
【００４９】
請求項４の発明によれば、上記に加えて扉を透視可能としたので、商品充填口に位置する商品によって陳列効果を発揮させることができるようになるものである。
【図面の簡単な説明】
【図１】  本発明のショーケースの正面図である。
【図２】  本発明のショーケースの縦断側面図である。
【図３】  本発明のショーケースの上部の拡大縦断側面図である。
【図４】  図３のショーケースの正面図である。
【図５】  本発明のショーケースの中央部の拡大縦断側面図である。
【図６】  本発明のショーケースの下部の拡大縦断側面図である。
【符号の説明】
１  ショーケース
２  断熱壁
３  側板
４  仕切板
５  ダクト
６  外側仕切板
７  廃熱ダクト
８  扉
９  陳列室
１０  商品ラック
１２  デックパン
１３  底部ダクト
１６  冷却器
１７  機械室
１９  フロントパネル
２０  吸込口
２１  第１の吐出口
２２  吸込口
２３  第２の吐出口
２５  外層吐出口
２６  下陳列部
２７  前面開口部
２８  前面部材
３１  商品コラム
３２  商品通路
３３  商品充填口
３４  商品取出口
３５  商品保持具
３６  商品押さえ具
３７  商品保持傾斜板
３８  取付金具
３９  吊下レール
【図１】
0003948868.tif 000002
【図２】
0003948868.tif 000003
【図３】
0003948868.tif 000004
【図４】
0003948868.tif 000005
【図５】
0003948868.tif 000006
【図６】
0003948868.tif 000007